(57)【要約】【課題】  従来は振動により振るい落とされたゴミを、カメラ本体外に取り出すことができない。【解決手段】  クリーニングモードが指示されると、レンズユニットがカメラ本体に装着されているかどうかを判別し、装着されていないと判別すると、クイックリターンミラーをアップさせてシャッタを開放した状態で、光電変換素子或は光電変換素子のカバーガラス或は光学フィルタを振動させて異物を除去する。【選択図】  図３
2007288530.tif 000002
【特許請求の範囲】
【請求項１】
光電変換素子により撮影画像を得る撮像装置であって、
レンズユニットが装着されているか否かを判別する判別手段と、
前記光電変換素子或は前記光電変換素子のカバーガラス或は光学フィルタを振動させる振動手段と、
クリーニングモードを指示する指示手段と、
前記指示手段により前記クリーニングモードが指示された際、前記判別手段により前記レンズユニットが装着されていると判別されると、クイックリターンミラーをダウンさせてシャッタを閉じた状態で前記振動手段を駆動するように制御する第１制御手段と、
前記指示手段により前記クリーニングモードが指示された際、前記判別手段により前記レンズユニットが装着されていないと判別されると、前記クイックリターンミラーをアップさせて前記シャッタを開放した状態で前記振動手段を駆動するように制御する第２制御手段と、
を有することを特徴とする撮像装置。
【請求項２】
光電変換素子を用いて撮影画像を得る撮像装置による異物除去方法であって、
レンズユニットが装着されているか否かを判別する判別工程と、
前記光電変換素子或は前記光電変換素子のカバーガラス或は光学フィルタを振動させる振動工程と、
クリーニングモードを指示する指示工程と、
前記指示工程で前記クリーニングモードが指示された際、前記判別工程で前記レンズユニットが装着されていると判別されると、クイックリターンミラーをダウンさせてシャッタを閉じた状態で前記振動工程を実行するように制御する工程と、
前記指示工程で前記クリーニングモードが指示された際、前記判別工程で前記レンズユニットが装着されていないと判別されると、前記クイックリターンミラーをアップさせて前記シャッタを開放した状態で前記振動工程を実行するように制御する工程と、
を有することを特徴とする撮像装置による異物除去方法。
【発明の詳細な説明】
【技術分野】
【０００１】
本発明は、撮像装置内の撮像素子或は撮像素子上のローパスフィルタやカバーガラス等の付着した異物（ゴミ）を振動により落下させて除去する撮像装置及びその装置による異物除去方法に関する。
【背景技術】
【０００２】
フィルムを使用しないデジタルカメラでは、撮像素子或はその撮像素子上のローパスフィルタやカバーガラスにゴミ（異物）が付着すると、そのゴミの影がそれ以降に撮影される画像に常に写り込んでしまうという問題がある。これはデジタルカメラでは、撮影毎にフィルムを送るといった機械的な動作が発生しないため、ゴミが同じ位置に留まり続けることに起因している。
【０００３】
このようなゴミを除去するための手法が種々提案されており、その中の一つに、ゴミが付着するローパスフィルタやカバーガラス等の素子を振動させ、その振動により、そこに付着しているゴミを落下させるものがある。
【特許文献１】特開２００３−３１９２２２号公報
【発明の開示】
【発明が解決しようとする課題】
【０００４】
ところが従来のものは、振動によりゴミを除去する際、常にクイックリターンミラーをダウン状態にしてシャッタは閉じたままで、ゴミが付着するフィルタやカバーガラスを振動させていた。このため、この振動により振るい落とされたゴミはカメラ本体外に取り出すことができない。こうして振るい落とされたゴミを収集するために、例えばシャッタとフィルタ又はカバーガラスの間の周辺に両面テープ等を配備し、落下したゴミをそのテープに接着させることにより、カメラ内でゴミが飛散するのを防止するものもある。この両面テープはサービスセンタで交換可能であるが、ユーザ自身が交換できるものではない。よって、テープの接着力が低下すると、ゴミを収集できなくなりカメラ内でゴミが飛散する虞がある。
【０００５】
本発明の目的は、上記従来技術の問題点を解決することにある。
【０００６】
本願発明の特徴は、レンズユニットが装着されていない状態でクリーニングモードが指示されると、クイックリターンミラーをアップさせてシャッタを開放した状態で異物除去動作を実行することにより、振動により落下した異物を撮像装置本体の外に排出可能にする技術を提供することにある。
【課題を解決するための手段】
【０００７】
上記目的を達成するために本発明の一態様に係る撮像装置は以下のような構成を備える。即ち、
光電変換素子により撮影画像を得る撮像装置であって、
レンズユニットが装着されているか否かを判別する判別手段と、
前記光電変換素子或は前記光電変換素子のカバーガラス或は光学フィルタを振動させる振動手段と、
クリーニングモードを指示する指示手段と、
前記指示手段により前記クリーニングモードが指示された際、前記判別手段により前記レンズユニットが装着されていると判別されると、クイックリターンミラーをダウンさせてシャッタを閉じた状態で前記振動手段を駆動するように制御する第１制御手段と、
前記指示手段により前記クリーニングモードが指示された際、前記判別手段により前記レンズユニットが装着されていないと判別されると、前記クイックリターンミラーをアップさせて前記シャッタを開放した状態で前記振動手段を駆動するように制御する第２制御手段と、を有することを特徴とする。
【０００８】
上記目的を達成するために本発明の一態様に係る撮像装置による異物除去方法は以下のような工程を備える。即ち、
光電変換素子を用いて撮影画像を得る撮像装置による異物除去方法であって、
レンズユニットが装着されているか否かを判別する判別工程と、
前記光電変換素子或は前記光電変換素子のカバーガラス或は光学フィルタを振動させる振動工程と、
クリーニングモードを指示する指示工程と、
前記指示工程で前記クリーニングモードが指示された際、前記判別工程で前記レンズユニットが装着されていると判別されると、クイックリターンミラーをダウンさせてシャッタを閉じた状態で前記振動工程を実行するように制御する工程と、
前記指示工程で前記クリーニングモードが指示された際、前記判別工程で前記レンズユニットが装着されていないと判別されると、前記クイックリターンミラーをアップさせて前記シャッタを開放した状態で前記振動工程を実行するように制御する工程と、
を有することを特徴とする。
【発明の効果】
【０００９】
本発明のよれば、異物除去動作時、振動により落下した異物を、レンズ装着の状況によって撮像装置本体の外に排出可能にできる。
【発明を実施するための最良の形態】
【００１０】
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１１】
この実施の形態では、フィルタやＣＣＤのカバーガラスに付着したゴミを振動により落下させるカメラに関する。このカメラはレンズユニットが着脱自在であり、レンズユニットが装着されている時は、クイックリターンミラーをダウンした状態でフォーカルプレーンシャッタを開かずにフィルタ又はカバーガラスを振動させる。一方、レンズユニットが未装着時は、クイックリターンミラーをアップさせ、フォーカルプレーンシャッタを全開にした状態で、フィルタ又はカバーガラスを振動させるものである。
【００１２】
図１は、本発明を実施の形態に係るカメラ（撮像装置）の構成を示すブロック図である。
【００１３】
１は交換可能なレンズユニットで、このレンズユニット１はズームレンズの場合も含む。このレンズユニット１は、自動焦点（ＡＦ）制御用及び絞り制御用駆動回路１ａ，１ｂを有している。このＡＦレンズ駆動回路１ａは、例えばステッピングモータ等で構成され、ＡＦセンサ２４の出力に基づくマイクロコンピュータ１６の制御に従ってレンズユニット１のフォーカスレンズ位置を変化させることによりピントを合わせる。また絞り駆動回路１ｂは、マイクロコンピュータ１６の制御に従って光学的な絞り値を変化させる。マイクロコンピュータ１６はレンズユニット１と通信し、現在のズーム位置（焦点距離情報）、現在の被写体まで距離の情報を収得することが可能である。またマイクロコンピュータ１６は、このレンズユニット１と通信可能かどうかにより、レンズユニット１が装着されているか、或はレンズユニット１が未装着状態であるかを判断できる。
【００１４】
２はクイックリターンミラーで、マイクロコンピュータ１６の指示によりアクチュエーター（不図示）により駆動されてアップダウンする。またこのミラー２はＡＦ光学系に光を導くためにハーフミラーで構成されており、このクイックリターンミラー２の動きにサブミラーも連動する。３はフォーカッシングスクリーンで、撮影者はペンタプリズム４とファインダ光学系を通して、このフォーカシングスクリーン３の映像を観察することにより、レンズユニット１を通して得た像のピントや構図を確認できる。５はフォーカルプレーンシャッタで、マイクロコンピュータ１６の制御によりＣＣＤ６の露光時間を制御するのに使用される。このフォーカルプレーンシャッタ５は一般的には先幕、後幕から構成され、これら幕の開閉により露光時間が制御される。
【００１５】
撮像素子としてはＣＣＤ６が用いられ、このＣＣＤ６は、レンズユニット１によって結像された像を光電変換して電気信号として取り出す。クランプ／ＣＤＳ回路７、ＡＧＣ８は、この電気信号に対して基本的なアナログ処理を実施する。尚、マイクロコンピュータ１６によりクランプレベルやＡＧＣ基準レベルの変更も可能である。Ａ／Ｄ変換部９は、こうして処理された電気信号を入力してデジタル信号に変換する。この際、設定されているＩＳＯ感度に応じた変換を行う。
【００１６】
映像信号処理回路１０は、Ａ／Ｄ変換部９でデジタル化された画像データを入力し、フィルタ処理、色変換処理、ガンマ変換処理等を行ってメモリコントローラ１３に出力して、その画像データをメモリ１４に記憶できる。またこの映像信号処理回路１０にはＤ／Ａ変換部も内蔵されており、Ａ／Ｄ変換部９でＡ／Ｄ変換されたデジタル画像信号や、メモリコントローラ１３を介してメモリ１４から読み出された画像データをアナログ信号に変換し、表示駆動回路１１を通して表示部（モニタ）１２に出力することも可能である。これら切り替えはマイクロコンピュータ１６とのデータ交換により行われる。また映像信号処理回路１０からマイクロコンピュータ１６にホワイトバランス情報を出力することもできる。これによりマイクロコンピュータ１６はホワイトバランス調整を行う。尚、マイクロコンピュータ１６の指示により、メモリコントローラ１３を通してバッファメモリ１９に画像データを保存することも可能である。また映像信号処理回路は、ＪＰＥＧ等の画像データの圧縮機能も備えている。連写撮影の場合は一旦、バッファメモリ１９に撮影した画像データを格納し、処理の空いたときにメモリコントローラ１３を通して未処理の画像データをバッファメモリ１９から読み出し、映像信号処理回路１０で画像処理や圧縮処理を行って連写スピードを稼ぐ。よって、連写可能枚数は、バッファメモリ１９の容量に大きさに大きく左右される。
【００１７】
またマイクロコンピュータ１６は、撮影前に設定されているＩＳＯ感度、画像サイズや画質応じた画像サイズの予測データ量を求める。そしてメモリコントローラ１３を通して、メモリ１４の空き容量を確認して、その予測データ量と比較して撮影可能な残り数を演算して表示部１２に表示することもできる。メモリコントローラ１３は、この映像信号処理回路１０から入力された未処理のデジタル画像データをバッファメモリ１９に格納し、また処理済みのデジタル画像をメモリ１４に格納する。逆に、バッファメモリ１９やメモリ１４から画像データを読み出して映像信号処理回路部１０に出力する。また、このメモリコントローラ１３は、外部インターフェース１５を介して入力した映像データをメモリ１４に記憶したり、またメモリ１４に記憶されている画像データを、この外部インターフェース１５を介して出力することができる。メモリ１４は、固定内蔵型或は着脱自在でも良い。
【００１８】
電源部１７は、電池を有し、各ＩＣや駆動系に必要な電源を供給する。操作部材１８はユーザにより操作され、その操作に応じてマイクロコンピュータ１６に情報を伝える。マイクロコンピュータ１６は、操作部材１８における操作に応じて各部を制御する。レリーズ釦２９において、ＳＷ２９（ａ）のみがオンの状態はレリーズ釦半押し状態であり、ＳＷ２９（ａ）（ｂ）が共にオンの場合は、レリーズ釦オン状態で、このときに撮影が行われる。操作部材１８には、更に、ＩＳＯ設定釦、画像サイズ設定釦、画質設定釦、情報表示釦など不図示のスイッチが設けられており、これらスイッチの状態が検出されている。液晶駆動回路２１は、マイクロコンピュータ１６の表示内容命令に従って、外部液晶表示部２２やファインダ内液晶表示部２３を駆動する。また、このファインダ内の液晶表示部２３には、不図示のＬＥＤなどのバックライトが配置されており、そのＬＥＤも液晶駆動回路２１で駆動される。
【００１９】
ＡＦセンサ２４は、マイクロコンピュータ１６にデフォーカス情報を出力する。これによりマイクロコンピュータ１６は、それに基づいてレンズユニット１と通信し、レンズユニット１内部のＡＦレンズ駆動回路１ａを用いてピントを合わせる。ＡＥセンサ２５は、ファインダスクリーン３上の像を測光し、レンズユニット１を通した被写体の輝度を測光する。尚マイクロコンピュータ１６は、このコンピュータ１６が実行する制御プログラム等を記憶しているＲＯＭ１６ａ、コンピュータ１６の動作時に各種データを記憶するワークエリアとして使用されるＲＡＭ１６ｂを有している。タイマ２８は、電源部１７からの電力供給がある間、時間を計時しており、この計時は撮影日時などの記録に用いられる。またタイマ２８はコンピュータ１６の指示に従って計時を行い、指定された時間を計時すると割り込み等でコンピュータ１６に通知する。
【００２０】
２６はローパスフィルタで、赤外カットの機能も持つ。ＣＣＤ６とローパスフィルタ２６の間は密閉構造になっている。このような構成のカメラでは、カメラ外から入ってきたゴミ（異物）、或はカメラ内で生じたゴミ（異物）は、ローパスフィルタ２６のフォーカルプレーンシャッタ５側に付着することがあっても、ＣＣＤ６の表面やローパスフィルタ２６のＣＣＤ６側に付着しない構造になっている。２７はマイクロコンピュータ１６の指示に従って、ローパスフィルタ２６に付着しているゴミが落とすための振動をフィルタ５に与える振動部材である。
【００２１】
図２は、本実施の形態のカメラにおける撮影動作を説明するフローチャートである。尚、この処理を実行するプログラムはＲＯＭ１６ａに記憶されており、このプログラムに従ってなされるコンピュータ１６の制御の下に実行される。
【００２２】
この処理は例えば、このカメラの電源オンにより開始される。まずステップＳ１で、タイマ２８による計時に基づいて、操作部材１８を使用した操作がなされない時間が所定時間以上（タイムアウト）になったかどうかを計時し、タイムアウトになると電源オフのためにステップＳ２０に進むが、そうでないときはステップＳ２に進む。ステップＳ２では、操作部材１８によるユーザの操作に応じた各種設定を行う。ここではユーザの操作に従って、カメラの動作モードや撮影モード等の設定が行われる。尚、ここで操作部材１８が操作されると、タイムアウトを計時しているタイマ２８による計時時間がリセットされる。次にステップＳ３に進み、ＡＥセンサ２５の出力信号に基づいて被写体の輝度を測定し、適正露出を得るためのシャッタ秒時や絞り値を求める。次にステップＳ４で、ＡＦセンサ２４のからの信号に基づいて被写体のデフォーカスを検知して焦点調整を行う。ここでは撮影条件により有効な測距点の判定も行う。実際の焦点自動調整は、ステップＳ５での表示処理の次の２回目のＡＦ処理（Ｓ４）で行う。このステップＳ５では、ステップＳ２で設定した状態や、各種の設定状態を、外部液晶表示部材２２等に表示する。またステップＳ２で設定された、ＩＳＯ感度、画像サイズ、画質に応じた、画像サイズの予測値データを基に、メモリコントローラ１３を通してメモリ１４の空容量と比較して撮影可能な残り枚数を求めて表示部１２に表示する。またステップＳ４で検出されたピントの状態や、ステップＳ３で求めたシャッタ秒時や絞り値を表示部１２に表示する。更には、ステップＳ４で判定した、有効な測距点も表示部１２に表示する。そしてステップＳ６で、レリーズ釦２９が半押し状態かどうかを判定する。スイッチ２９（ａ）のみがオン（半押し状態）の場合はタイマ２８の設定を更新するためにステップＳ７に進むが、レリーズ釦２９が全く押されていない状態ではステップＳ１に戻る。
【００２３】
ステップＳ７では、タイマ２８の設定時間を更新する。次にステップＳ８で、レリーズが可能状態であり、かつ、レリーズ釦２９が完全に押された（スイッチ２９（ａ）と２９（ｂ））が同時にオン状態）になったかどうかを判定する。完全に押された状態の場合は画像を撮影するためにステップＳ９に進むが、そうでないときはステップＳ１に戻る。
【００２４】
ステップＳ９では、クイックリターンミラー２を作動させてミラー２をアップ状態にするとともに、レンズユニット１に通信して絞り駆動回路１ｂによりステップＳ３で求めた絞り値にレンズ１の絞りを制御する。次にステップＳ１０に進み、フォーカルプレーンシャッタ５を制御して、ステップＳ３で求めたシャッタ時間を制御し、ＣＣＤ６により得られた画像をクランプ回路７，ＡＧＣ８、Ａ／Ｄ変換部９を通して取り込む。次にステップＳ１１で、クイックリターンミラー２をダウン状態に戻し、レンズユニット１と通信してレンズの絞りを開放状態にする。次にステップＳ１２に進み、ＡＧＣ８に設定されたＩＳＯ値に対するゲイン値を送って感度を調整し、メモリコントローラ１３に画像信号を送りバッファメモリ１９に、その撮影した画像データを一時保管する。次にステップＳ１３で、映像信号処理回路１０の出力であるホワイトバランス情報を基に、適正な色になるように映像信号処理回路１０で用いるＲとＢのゲインとを演算により決定し制御する。次にステップＳ１４で、バッファメモリ１９に格納された未処理の画像データを映像信号処理回路の負荷が画像処理できるレベルであるときに処理して圧縮し、メモリ１４に格納する動作をスタートする。尚、ここで連写等の場合は、バッファメモリ１９に画像データが順次連続して格納され、この場合には、画像処理は停止した状態になることもある。次にステップＳ１５で、画像の撮影モード及びメモリ１４の空き容量を基に撮影可能な枚数を算出する。そしてステップＳ１６で、ステップＳ１４で処理された画像データを表示駆動回路１１に出力して表示部１２に表示する。またステップＳ３，Ｓ４及びＳ１５で決定した撮影した画像データを表示駆動回路２１に送って表示部１２に表示する。またステップＳ１７でも同様にして、ファインダ内液晶表示２３に表示する。
【００２５】
次にステップＳ１８で、メモリ１４に空き領域が存在するかどうかの判定と、未処理のバッファメモリ１９上の画像データ量も考慮して、次にフレームの撮影が可能かどうかを判定する。撮影可能であると判定した場合はステップＳ１に戻るが、撮影可能でない場合はステップＳ１９に進み、撮影が不可能であることを示す警告表示を行う。
【００２６】
次にステップＳ１で、タイマ２８による計時がタイムアウトになった場合の処理を説明する。この場合はステップＳ１からステップＳ２０に進み、表示駆動回路１１により表示部１２の表示を消灯し、液晶表示部２３のバックライトも消灯する。そしてステップＳ２１で、ステップＳ１４でスタートした、画像処理とデータ圧縮と、メモリ１４への画像データの格納が全て終了し、バッファメモリ１９の画像データ領域が空になるのを待つ。こうした処理が終了するとステップＳ２２に進み、電源回路１７に指示を出して必要の無い箇所への電源供給をオフにする。以上説明した、このフローチャートで示す処理は、周知のカメラにおける処理と基本的に同じである。
【００２７】
次に図３のフローチャートを参照して、本実施の形態に係るカメラによる処理について説明する。この処理は、ユーザが操作部材１８を操作して、カメラ内部の振動部材２７を振動させてゴミの除去を行うクリーニング（異物除去モード）処理が指示されることにより開始される。尚、この処理を実行するプログラムはＲＯＭ１６ａに記憶されており、このプログラムに従ってなされるコンピュータ１６の制御の下に実行される。
【００２８】
ステップＳ３１では、レンズユニット１とマイクロコンピュータ１６とが通信可能かどうかをもとにレンズユニット１が装着されているかどうかを判定する。ここでレンズユニット１が未装着であると判断した場合はステップＳ３２に進み、クイックリターンミラー２をアップ状態にし、シャッタ５の先幕を走行し、後幕は保持したままで全開状態とする。次にステップＳ３３で、振動部材２７を所定時間振動させてローパスフィルタ２６を振動させて、その表面に付着したゴミを落とす。尚、この時間はタイマ２８による計時に基づいて実行される。こうして所定時間、振動部材２７を振動させるとステップＳ３４に進み、クイックリターンミラー２をダウンさせてフォーカルプレーンシャッタ５を閉じた状態にして、このクリーニング処理を終了する。
【００２９】
一方、ステップＳ３１で、レンズユニット１が装着されていると判断した場合はステップＳ３５に進み、クイックリターンミラー２をダウンさせた状態で、シャッタ５の後幕を走行してシャッタ５のチャージを行う。こうしてフォーカルプレーンシャッタ５が閉じた状態で、振動部材２７を所定時間振動させてゴミ取り動作を実行する。このときの振動部材２７の駆動は前述のステップＳ３３と同様である。
【００３０】
この実施の形態における効果について説明する。
【００３１】
そもそも、レンズマウントにレンズユニット１が装着されていなければ、クイックリターンミラー２がアップ状態にあり、フォーカルプレーンシャッタ５が開放状態にある場合、ローパスフィルタ２６は外界に対し剥き出しとなる。したがって、この状態で例えばカメラを下に向けて振動部材２７を駆動すれば、ローパスフィルタ２６上に載った異物は外界に飛ばされる。このように外界に飛ばされた異物は、再びカメラ内に戻ってくる確率が非常に低い。
【００３２】
また、レンズユニットに代えて、レンズマウントにボディキャップを装着した状態で、操作部材１８を使用してクリーニングモード（異物除去モード）を設定する。この際、カメラを下に向けた状態でクリーニングモードを起動すると、レンズユニット１が未装着であるため、クイックリターンミラー２はアップされてシャッタ５が全開の状態でフィルタやカバーガラスを振動される。これによりフィルタやカバーガラスに付着していたゴミはレンズキャップ内に落下する。ここで、このボディキャップの内側にゴミが付着可能な両面テープ等の粘着材を張設しておけば、そのキャップ内に落下したゴミは、その粘着材に接着して周囲に飛散しなくなる。またその粘着材を取り外して廃棄することで容易にゴミの収集と廃棄処理を行うことができる。
【００３３】
また、透明のボディキャップを用意すれば、上記と同様の操作で、ゴミが除去される様子を観察できる。
【００３４】
またレンズユニット１が装着された状態では、クイックリターンミラー２は下げたまま、フォーカルプレーンシャッタ５は閉じたままなので、レンズユニット１内に清掃モードで落下した細かいゴミが入り込みことは無い。一般に交換レンズユニット１の後方（ＣＣＤ側）は、レンズ移動のためやレンズ内の空気の移動のために隙間がある場合が多い。従って、ここにゴミが入ってレンズユニット１内部のレンズ表面に、そのゴミが付着した場合は、ユーザがそのゴミを除去するのはほとんど不可能である。即ち、このような場合に、ゴミを除去するためには、そのレンズユニットをサービスセンタ等で分解掃除しなければならず、そのためのコストが発生することになる。しかし、本実施の形態のように、レンズユニットが装着されている状態では、振動により落下したゴミがレンズユニットに到達する可能性が極めて低いため、そのような事態の発生を防止できる効果がある。
【００３５】
以上の実施の形態においては、クイックリターンミラー２がダウン状態にある場合にクリーニングモードが設定される状況を説明した。しかし、例えばＥＶＦ動作時など、クイックリターンミラー２がアップ状態にある場合にクリーニングモードが設定される状況において、レンズユニット１が装着されているときには、クイックリターンミラー２をダウン状態にする制御を行い、かつフォーカルプレーンシャッタ５を閉じる制御を行ってから振動部材２７を駆動する。逆に、レンズユニット１が装着されていなければ、クイックリターンミラー２をアップ状態に保ったまま、かつフォーカルプレーンシャッタ５を開放にして振動部材２７を駆動する。  また、以上の実施の形態においては、ローパスフィルタ２６を振動するように構成しているが、これに限られるものではない。たとえば、撮像素子を覆うカバーガラスを振動させるようにしてもよいし、また別の光学部材を別途撮影光軸上に配置して、その光学部材を振動させるようにしても良い。
【図面の簡単な説明】
【００３６】
【図１】本発明を実施の形態に係るカメラの構成を示すブロック図である。
【図２】本実施の形態に係るカメラにおける撮影動作を説明するフローチャートである。
【図３】本実施の形態に係るカメラにおけるクリーニング処理を説明するフローチャートである。
【図１】
2007288530.tif 000003
【図２】
2007288530.tif 000004
【図３】
2007288530.tif 000005